【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
再生対象となるコンテンツを格納したメディアと、
前記メディアに格納されたコンテンツを再生する再生装置を有し、
前記再生装置は、
再生対象として選択されたコンテンツのコンテンツ種類を判別し、
判別したコンテンツ種類に対応付けられた装置証明書を記憶部から選択取得し、
選択取得した装置証明書を前記メディアに送信する構成であり、
前記装置証明書は、装置証明書の利用可能なコンテンツ種類情報を記録したコンテンツ種類対応の装置証明書であり、
前記メディアは、
前記再生装置から読み取り要求された暗号鍵が、前記装置証明書に記録された利用可能なコンテンツ種類に一致する暗号化コンテンツの復号用の暗号鍵であるか否かを判定し、一致する場合にのみ暗号鍵の読み出しを許容する情報処理システム。
【請求項２】
前記再生装置は、
コンテンツ種類に依存しないコンテンツ再生プログラムを実行し、該コンテンツ再生プログラムに従って再生対象として選択されたコンテンツの種類を判別する請求項１に記載の情報処理システム。
【請求項３】
前記装置証明書は、高付加価値コンテンツ、または高付加価値コンテンツ以外の通常コンテンツの少なくともいずれかを装置証明書の利用可能なコンテンツ種類として記録した構成であり、
前記メディアは、
前記再生装置から読み取り要求された暗号鍵が、前記装置証明書に記録された利用可能なコンテンツ種類である高付加価値コンテンツ、または通常コンテンツに一致する暗号化コンテンツの復号用の暗号鍵であるか否かを判定し、一致する場合にのみ暗号鍵の読み出しを許容する請求項１に記載の情報処理システム。
【請求項４】
前記再生装置は、取得した装置証明書を前記メディアに送信して認証処理を実行し、
前記メディアは、前記認証処理の成立を条件として、前記再生装置からの暗号鍵読み出し要求の許容判定処理を実行する請求項１に記載の情報処理システム。
【請求項５】
前記再生装置は、
再生対象として選択されたコンテンツに対応付けられた属性情報に従って、選択コンテンツの種類を判別して、判別したコンテンツ種類に対応付けられた装置証明書を記憶部から選択取得する請求項１に記載の情報処理システム。
【請求項６】
前記メディアは、
再生装置のアクセス権の確認に基づいて、アクセスを許容する保護領域に暗号鍵を格納し、
前記再生装置から受領する装置証明書に記録された保護領域アクセス権情報に基づいて、前記暗号鍵の格納された保護領域のアクセス権を確認し、前記再生装置のアクセス権が確認された場合に、前記再生装置による暗号鍵の読み出しを許容する請求項１に記載の情報処理システム。
【請求項７】
前記装置証明書は、
装置証明書を利用可能な再生装置種類情報を記録した構成であり、
前記メディアは、
前記装置証明書に記録された再生装置種類情報に応じて選択される符号化アルゴリズムに従って、前記メディアの識別情報であるメディアＩＤの符号化処理を実行して前記再生装置に送信し、
前記再生装置は、前記メディアから受信した符号化メディアＩＤを自装置の装置種類対応の復号アルゴリズムに従って復号し、取得したメディアＩＤを適用したデータ処理を伴うコンテンツの復号、再生を行う請求項１に記載の情報処理システム。
【請求項８】
メディアに格納されたコンテンツの読み出しと再生処理を実行するデータ処理部を有し、
前記データ処理部は、
再生対象として選択されたコンテンツのコンテンツ種類を判別し、
判別したコンテンツ種類に対応付けられた装置証明書を記憶部から選択取得し、
選択取得した装置証明書を前記メディアに送信するとともに、前記メディアに対して、暗号化コンテンツと、該暗号化コンテンツの復号に適用する暗号鍵の読み出し要求を出力し、
読み出し要求のなされた暗号鍵が、前記装置証明書に記録された利用可能なコンテンツ種類に一致するコンテンツの暗号鍵であることの確認が、前記メディアにおいてなされたことを条件として、前記メディアから暗号鍵を取得し、取得暗号鍵を適用して暗号化コンテンツの復号を行う情報処理装置。
【請求項９】
前記データ処理部は、
コンテンツ種類に依存しないコンテンツ再生プログラムを実行し、該コンテンツ再生プログラムに従って再生対象として選択されたコンテンツの種類を判別する請求項８に記載の情報処理装置。
【請求項１０】
前記装置証明書は、高付加価値コンテンツ、または高付加価値コンテンツ以外の通常コンテンツの少なくともいずれかを装置証明書の利用可能なコンテンツ種類として記録した構成である請求項８に記載の情報処理装置。
【請求項１１】
前記データ処理部は、
取得した装置証明書を前記メディアに送信して認証処理を実行する請求項８に記載の情報処理装置。
【請求項１２】
前記データ処理部は、
再生対象として選択されたコンテンツに対応付けられた属性情報に従って、選択コンテンツの種類を判別する請求項８に記載の情報処理装置。
【請求項１３】
前記装置証明書は、
装置証明書を利用可能な再生装置種類情報を記録した構成であり、
前記メディアは、前記装置証明書に記録された再生装置種類情報に応じて選択される符号化アルゴリズムに従って、前記メディアの識別情報であるメディアＩＤの符号化処理を実行して前記情報処理装置に送信し、
前記情報処理装置のデータ処理部は、前記メディアから受信した符号化メディアＩＤを自装置の装置種類対応の復号アルゴリズムに従って復号し、取得したメディアＩＤを適用したデータ処理を伴うコンテンツの復号、再生を行う請求項８に記載の情報処理装置。
【請求項１４】
再生対象となるコンテンツを格納したメディアと、前記メディアに格納されたコンテンツを再生する再生装置とを有する情報処理システムにおいて実行する情報処理方法であり、
前記再生装置が、
再生対象として選択されたコンテンツのコンテンツ種類を判別し、
判別したコンテンツ種類に対応付けられた装置証明書を記憶部から選択取得し、
選択取得した装置証明書を前記メディアに送信し、
前記装置証明書は、装置証明書の利用可能なコンテンツ種類情報を記録した装置証明書であり、
前記メディアが、
前記再生装置から読み取り要求された暗号鍵が、前記装置証明書に記録された利用可能なコンテンツ種類に一致する暗号化コンテンツの復号用の暗号鍵であるか否かを判定し、一致する場合にのみ暗号鍵の読み出しを許容する情報処理方法。
【請求項１５】
情報処理装置において実行する情報処理方法であり、
データ処理部が、
再生対象として選択されたコンテンツのコンテンツ種類を判別し、
判別したコンテンツ種類に対応付けられた装置証明書を記憶部から選択取得し、
選択取得した装置証明書を前記メディアに送信するとともに、前記メディアに対して、暗号化コンテンツと、該暗号化コンテンツの復号に適用する暗号鍵の読み出し要求を出力し、
読み出し要求のなされた暗号鍵が、前記装置証明書に記録された利用可能なコンテンツ種類に一致するコンテンツの暗号鍵であることの確認が、前記メディアにおいてなされたことを条件として、前記メディアから暗号鍵を取得し、取得暗号鍵を適用して暗号化コンテンツの復号を行う情報処理方法。
【請求項１６】
情報処理装置において情報処理を実行させるプログラムであり、
データ処理部に、
再生対象として選択されたコンテンツのコンテンツ種類を判別させ、
判別したコンテンツ種類に対応付けられた装置証明書を記憶部から選択取得させ、
選択取得した装置証明書を前記メディアに送信するとともに、前記メディアに対して、暗号化コンテンツと、該暗号化コンテンツの復号に適用する暗号鍵の読み出し要求を出力させ、
読み出し要求のなされた暗号鍵が、前記装置証明書に記録された利用可能なコンテンツ種類に一致するコンテンツの暗号鍵であることの確認が、前記メディアにおいてなされたことを条件として、前記メディアから暗号鍵を取得し、取得暗号鍵を適用して暗号化コンテンツの復号を行わせるプログラム。
【手続補正２】
【補正対象書類名】明細書
【補正対象項目名】００２４
【補正方法】変更
【補正の内容】
【００２４】
さらに、本開示の情報処理装置の一実施態様において、前記装置証明書は、装置証明書を利用可能な再生装置種類情報を記録した構成であり、前記メディアは、前記装置証明書に記録された再生装置種類情報に応じて選択される符号化アルゴリズムに従って、前記メディアの識別情報であるメディアＩＤの符号化処理を実行して前記情報処理装置に送信し、前記情報処理装置のデータ処理部は、前記メディアから受信した符号化メディアＩＤを自装置の装置種類対応の復号アルゴリズムに従って復号し、取得したメディアＩＤを適用したデータ処理を伴うコンテンツの復号、再生を行う。
【手続補正３】
【補正対象書類名】明細書
【補正対象項目名】０１１０
【補正方法】変更
【補正の内容】
【０１１０】
次に、メディア（メモリカード）は、ステップＳ１１７において、先の認証処理に際してホスト（再生装置）から受領したホスト証明書（Ｈｏｓｔ  Ｃｅｒｔ）のタイプ情報を参照して、ホスト（再生装置）から受領したホスト証明書（Ｈｏｓｔ  Ｃｅｒｔ）が、ホストの要求しているタイトルキーに対応するコンテンツの種類に対応する対応コンテンツタイプ情報を記録したホスト証明書（Ｈｏｓｔ  Ｃｅｒｔ）であるか否かを判定する。
【手続補正４】
【補正対象書類名】明細書
【補正対象項目名】０１１１
【補正方法】変更
【補正の内容】
【０１１１】
例えば、図７に示す２つの種類のホスト証明書（Ｈｏｓｔ  Ｃｅｒｔ）が利用可能な構成であると仮定する。
再生予定コンテンツが通常コンテンツであり、ホストの要求するタイトルキーが通常コンテンツに対応するタイトルキーである場合は、
ホストから受信したホスト証明書が、図７に示す以下の２つの証明書、
（Ａ）高付加価値コンテンツと通常コンテンツの双方のコンテンツ再生に利用可能なホスト証明書（Ｈｏｓｔ  Ｃｅｒｔ）
（Ｂ）通常コンテンツのみのコンテンツ再生に利用可能なホスト証明書（Ｈｏｓｔ  Ｃｅｒｔ）
これらの２種類のホスト証明書（Ｈｏｓｔ  Ｃｅｒｔ）のいずれでも、ステップＳ１１７の判定はＹｅｓとなる。
【手続補正５】
【補正対象書類名】明細書
【補正対象項目名】０１２１
【補正方法】変更
【補正の内容】
【０１２１】
すなわち、再生プログラムが、
通常コンテンツ対応の再生プログラム、
高付加価値コンテンツ対応の再生プログラム、
このように、コンテンツの種類に応じた専用のプログラムとして設定され、各再生プログラムに対して利用可能なホスト証明書（Ｈｏｓｔ  Ｃｅｒｔ）を１つずつ割り当てた構成を前提としていた。
【手続補正６】
【補正対象書類名】明細書
【補正対象項目名】０１２３
【補正方法】変更
【補正の内容】
【０１２３】
すなわち、再生プログラムの処理として、コンテンツ種類を判別して、判別したコンテンツ種類に応じて、
（Ａ）高付加価値コンテンツと通常コンテンツの双方のコンテンツ再生に利用可能なホスト証明書（Ｈｏｓｔ  Ｃｅｒｔ）
（Ｂ）通常コンテンツのみのコンテンツ再生に利用可能なホスト証明書（Ｈｏｓｔ  Ｃｅｒｔ）
これらの２種類のホスト証明書（Ｈｏｓｔ  Ｃｅｒｔ）のいずれかを選択して利用する。
【手続補正７】
【補正対象書類名】明細書
【補正対象項目名】０１２６
【補正方法】変更
【補正の内容】
【０１２６】
なお、先の図９〜図１１に示すフローの処理では、起動プログラムは、コンテンツの種類（高付加価値／通常）に応じて異なっていたが、本処理例では、起動プログラムは、選択コンテンツの種類（高付加価値／通常）に応じて変更されない。
【手続補正８】
【補正対象書類名】明細書
【補正対象項目名】０１３７
【補正方法】変更
【補正の内容】
【０１３７】
次に、メディア（メモリカード）は、ステップＳ２１７において、先の認証処理に際してホスト（再生装置）から受領したホスト証明書（Ｈｏｓｔ  Ｃｅｒｔ）のタイプ情報を参照して、ホスト（再生装置）から受領したホスト証明書（Ｈｏｓｔ  Ｃｅｒｔ）が、ホストの要求しているタイトルキーに対応するコンテンツの種類に対応する対応コンテンツタイプ情報を記録したホスト証明書（Ｈｏｓｔ  Ｃｅｒｔ）であるか否かを判定する。
【手続補正９】
【補正対象書類名】明細書
【補正対象項目名】０１３８
【補正方法】変更
【補正の内容】
【０１３８】
例えば、図７に示す２つの種類のホスト証明書（Ｈｏｓｔ  Ｃｅｒｔ）が利用可能な構成であると仮定する。
再生予定コンテンツが通常コンテンツであり、ホストの要求するタイトルキーが通常コンテンツに対応するタイトルキーである場合は、
ホストから受信したホスト証明書が、図７に示す以下の２つの証明書、
（Ａ）高付加価値コンテンツと通常コンテンツの双方のコンテンツ再生に利用可能なホスト証明書（Ｈｏｓｔ  Ｃｅｒｔ）
（Ｂ）通常コンテンツのみのコンテンツ再生に利用可能なホスト証明書（Ｈｏｓｔ  Ｃｅｒｔ）
これらの２種類のホスト証明書（Ｈｏｓｔ  Ｃｅｒｔ）のいずれでも、ステップＳ２１７の判定はＹｅｓとなる。
【手続補正１０】
【補正対象書類名】明細書
【補正対象項目名】０１４０
【補正方法】変更
【補正の内容】
【０１４０】
ホスト（再生装置）から受領したホスト証明書（Ｈｏｓｔ  Ｃｅｒｔ）が、ホストの要求しているタイトルキーに対応するコンテンツの種類に対応する対応コンテンツタイプ情報を記録したホスト証明書（Ｈｏｓｔ  Ｃｅｒｔ）であると判定されるとステップＳ２１７の判定はＹｅｓとなり、ステップＳ２１８に進む。
【手続補正１１】
【補正対象書類名】明細書
【補正対象項目名】０１４１
【補正方法】変更
【補正の内容】
【０１４１】
次に、メディア（メモリカード）は、ステップＳ２１８において、先の認証処理に際してホスト（再生装置）から受領したホスト証明書（Ｈｏｓｔ  Ｃｅｒｔ）の保護領域アクセス権情報を参照して、ホストの要求するタイトルキーの格納領域、すなわち保護領域の区分領域が、データ読み取り許容領域として設定されているか否かを確認する。
【手続補正１２】
【補正対象書類名】明細書
【補正対象項目名】０１６９
【補正方法】変更
【補正の内容】
【０１６９】
メディア（メモリカード）が、ホスト（再生装置）が記録再生専用器であることを確認した場合は、図１７の左側に示す、
（１）ホスト＝記録再生専用器の処理が実行される。
一方、メディア（メモリカード）が、ホスト（再生装置）がＰＣまたは携帯端末であることを確認した場合は、図１７の右側に示す、
（２）ホスト＝ＰＣ／携帯端末の処理が実行される。
【手続補正１３】
【補正対象書類名】明細書
【補正対象項目名】０１８６
【補正方法】変更
【補正の内容】
【０１８６】
次に、ステップＳ３５５において、メディア（メモリカード）３２０から読み出したメディアＩＤ−ＭＡＣ３２１と、ステップＳ３５４で算出したＭＡＣ値との照合処理を実行する。
この照合処理において、メディア（メモリカード）３２０から読み出したメディアＩＤ−ＭＡＣ３２１と、ステップＳ３５４で算出した算出ＭＡＣ値が一致すれば、ＭＡＣ照合成立となり、メディア（メモリカード）３２０の正当性が確認されたものと判定され、ステップＳ３５６のタイトルキーを適用した暗号化コンテンツの復号処理に進む。
【手続補正１４】
【補正対象書類名】明細書
【補正対象項目名】０２０９
【補正方法】変更
【補正の内容】
【０２０９】
また、メディア（メモリカード）は、ホスト証明書（Ｈｏｓｔ  Ｃｅｒｔ）に基づいて、ホスト（再生装置）の種類を確認可能となり、ホスト（再生装置）に応じたコンテンツの利用制御を実行することも可能となる。
例えば、特定コンテンツについては、記録再生機器でのみ利用可能とし、ＰＣや携帯端末では利用させないといったホスト（再生装置）の種類に応じたコンテンツ利用制御を実行することなどが可能となる。
【手続補正１５】
【補正対象書類名】明細書
【補正対象項目名】０２２８
【補正方法】変更
【補正の内容】
【０２２８】
（１１）前記データ処理部は、取得した装置証明書を前記メディアに送信して認証処理を実行する前記（８）〜（１０）いずれかに記載の情報処理装置。
（１２）前記データ処理部は、再生対象として選択されたコンテンツに対応付けられた属性情報に従って、選択コンテンツの種類を判別する前記（８）〜（１１）いずれかに記載の情報処理装置。
（１３）前記装置証明書は、装置証明書を利用可能な再生装置種類情報を記録した構成であり、前記メディアは、前記装置証明書に記録された再生装置種類情報に応じて選択される符号化アルゴリズムに従って、前記メディアの識別情報であるメディアＩＤの符号化処理を実行して前記情報処理装置に送信し、前記情報処理装置のデータ処理部は、前記メディアから受信した符号化メディアＩＤを自装置の装置種類対応の復号アルゴリズムに従って復号し、取得したメディアＩＤを適用したデータ処理を伴うコンテンツの復号、再生を行う前記（８）〜（１２）いずれかに記載の情報処理装置。
【手続補正１６】
【補正対象書類名】図面
【補正対象項目名】図１０
【補正方法】変更
【補正の内容】
【図１０】
2013037651.tif 000001
【手続補正１７】
【補正対象書類名】図面
【補正対象項目名】図１２
【補正方法】変更
【補正の内容】
【図１２】
2013037651.tif 000002
【手続補正１８】
【補正対象書類名】図面
【補正対象項目名】図１３
【補正方法】変更
【補正の内容】
【図１３】
2013037651.tif 000003
【手続補正１９】
【補正対象書類名】図面
【補正対象項目名】図２１
【補正方法】変更
【補正の内容】
【図２１】
2013037651.tif 000004